(57)【要約】【課題】  トレンドの見極めがしやすい株価・指数チャートを提供する。【解決手段】  株価・指数チャートは、金融市場において値が時間で変化する金融商品の相場を、時系列に沿った、期間ごとの足で示す。足は、所定の期間単位で、所定の時間帯における相場の当回分を含む過去の所定回数分の第１移動平均値と、相場の当回分よりも時間的に１つ前の前回分を含み、前回分から過去の所定回数分の第２移動平均値のうち、値が低い方を下端とし、値が高いものを上端とした矩形帯を含む。矩形帯のうち、第１移動平均値が上端で第２移動平均値が下端とするものは、第１色で出力され、第１移動平均値が下端で第２移動平均値が上端とするものは、第１色とは異なる第２色で出力される。株価・指数チャートは、判定対象足が、判定基準足に対する「はらみ状態」であり、矩形帯の色が異なる場合に、判定対象足の矩形帯の色を調整する矩形帯調整が行われた状態で、出力される。【選択図】図６
2020027499.tif 000002
【特許請求の範囲】
【請求項１】
クライアント端末が出力する株価・指数チャートであって、
前記株価・指数チャートは、金融市場において値が時間で変化する金融商品の相場を、時系列に沿った、期間ごとの足で示すものであり、
前記足は、所定の期間単位で、所定の時間帯における相場の当回分を含む過去の所定回数分の第１移動平均値と、前記相場の前記当回分よりも時間的に１つ前の前回分を含み、前記前回分から過去の前記所定回数分の第２移動平均値のうち、値が低い方を下端とし、値が高いものを上端とした矩形帯を含むものであり、
前記矩形帯のうち、前記第１移動平均値が上端で前記第２移動平均値が下端とするものは、第１色で出力され、前記第１移動平均値が下端で前記第２移動平均値が上端とするものは、前記第１色とは異なる第２色で出力され、
前記株価・指数チャートは、前記足のうち、判定対象足が、前記判定対象足よりも過去の特定の本数以内の足のいずれかである判定基準足に対する「はらみ状態」であり、且つ、前記判定対象足の矩形帯の色が、前記判定基準足の矩形帯の色と異なる場合に、前記判定対象足の矩形帯の色を調整する矩形帯調整が行われた状態で、出力される、株価・指数チャート。
【請求項２】
前記判定対象足の上端の値が、前記判定基準足の上端の値よりも低く、前記判定対象足の下端の値が、前記判定基準足の下端の値よりも高い場合に、前記判定対象足が、前記判定基準足に対する「はらみ状態」であると判断され、
前記判定対象足の上端の値は、前記判定対象足に対応する前記当回分の相場と前記第１移動平均値と前記第２移動平均値の中で最も高い値であり、
前記判定対象足の下端の値は、前記判定対象足に対応する前記当回分の相場と前記第１移動平均値と前記第２移動平均値の中で最も低い値であり、
前記判定基準足の上端の値は、前記判定基準足に対応する前記当回分の相場と前記第１移動平均値と前記第２移動平均値の中で最も高い値であり、
前記判定基準足の下端の値は、前記判定基準足に対応する前記当回分の相場と前記第１移動平均値と前記第２移動平均値の中で最も低い値である、請求項１に記載の株価・指数チャート。
【請求項３】
前記判定対象足が前記判定基準足に対する前記「はらみ状態」であり、且つ前記判定対象足の矩形帯の色が前記判定基準足の矩形帯の色と異なる場合に、前記矩形帯調整は、前記判定対象足の矩形帯の色を、前記判定基準足の矩形帯の色と同じにする、請求項１と請求項２のいずれかに記載の株価・指数チャート。
【請求項４】
前記判定対象足が前記判定基準足に対する前記「はらみ状態」であり、且つ前記判定対象足の矩形帯の色が前記判定基準足の矩形帯の色と異なる場合に、前記矩形帯調整は、前記判定対象足の矩形帯の色について、前記判定基準足の矩形帯の色と、色相が同じで、且つ明度と彩度の少なくとも一方が異なるものにする、請求項１と請求項２のいずれかに記載の株価・指数チャート。
【請求項５】
前記判定対象足が前記判定基準足に対する前記「はらみ状態」であり、且つ前記判定対象足の矩形帯の色が前記判定基準足の矩形帯の色と異なる場合に、前記矩形帯調整は、前記判定対象足の矩形帯の色を、前記判定基準足の矩形帯の色と同じにし、且つ前記判定対象足の矩形帯に前記「はらみ状態」でない足の矩形帯と異なる枠を設ける、請求項１と請求項２のいずれかに記載の株価・指数チャート。
【請求項６】
前記判定対象足が前記判定基準足に対する前記「はらみ状態」であり、且つ前記判定対象足の矩形帯の色が前記判定基準足の矩形帯の色と異なる場合に、前記矩形帯調整は、前記判定対象足の矩形帯の色相を、前記「はらみ状態」でない足であって、且つ前記判定対象足の矩形帯と同じ色相の矩形帯と比べて、前記判定基準足の矩形帯の色相に近いものにする、請求項１と請求項２のいずれかに記載の株価・指数チャート。
【請求項７】
前記第１色と前記第２色は、色相が同じで、且つ明度の異なるものであり、
前記判定対象足が前記判定基準足に対する前記「はらみ状態」であり、且つ前記判定対象足の矩形帯の明度が前記判定基準足の矩形帯の明度と異なる場合に、前記矩形帯調整は、前記判定対象足の矩形帯の明度を、前記「はらみ状態」でない足であって、且つ前記判定対象足の矩形帯と同じ明度の矩形帯と比べて、前記判定基準足の矩形帯の明度に近いものにする、請求項１と請求項２のいずれかに記載の株価・指数チャート。
【請求項８】
前記所定の時間帯における相場は、前記所定の時間帯における終値であり、
前記所定の期間単位は、分単位、日単位、週単位、月単位のいずれかである、請求項１〜請求項７のいずれかに記載の株価・指数チャート。
【請求項９】
前記足は、前記矩形帯と、前記足に対応する前記第１移動平均値から前記当回分の相場に向けた矢印線を含む、請求項１〜請求項８のいずれかに記載の株価・指数チャート。
【請求項１０】
金融市場において値が時間で変化する金融商品の相場を、時系列に沿った、期間ごとの足で示す株価・指数チャートを出力するクライアント端末であって、
前記足は、所定の期間単位で、所定の時間帯における相場の当回分を含む過去の所定回数分の第１移動平均値と、前記相場の前記当回分よりも時間的に１つ前の前回分を含み、前記前回分から過去の前記所定回数分の第２移動平均値のうち、値が低い方を下端とし、値が高いものを上端とした矩形帯を含むものであり、
前記矩形帯のうち、前記第１移動平均値が上端で前記第２移動平均値が下端とするものは、第１色で出力され、前記第１移動平均値が下端で前記第２移動平均値が上端とするものは、前記第１色とは異なる第２色で出力され、
前記株価・指数チャートは、前記足のうち、判定対象足が、前記判定対象足よりも過去の特定の本数以内の足のいずれかである判定基準足に対する「はらみ状態」であり、且つ、前記判定対象足の矩形帯の色が、前記判定基準足の矩形帯の色と異なる場合に、前記判定対象足の矩形帯の色を調整する矩形帯調整が行われた状態で、出力される、クライアント端末。
【請求項１１】
株価・指数チャートをクライアント端末に出力させるチャート出力ソフトウエアであって、
前記株価・指数チャートは、金融市場において値が時間で変化する金融商品の相場を、時系列に沿った、期間ごとの足で示すものであり、
前記足は、所定の期間単位で、所定の時間帯における相場の当回分を含む過去の所定回数分の第１移動平均値と、前記相場の前記当回分よりも時間的に１つ前の前回分を含み、前記前回分から過去の前記所定回数分の第２移動平均値のうち、値が低い方を下端とし、値が高いものを上端とした矩形帯を含むものであり、
前記矩形帯のうち、前記第１移動平均値が上端で前記第２移動平均値が下端とするものは、第１色で出力され、前記第１移動平均値が下端で前記第２移動平均値が上端とするものは、前記第１色とは異なる第２色で出力され、
前記チャート出力ソフトウエアは、
前記足のうち、判定対象足が、前記判定対象足よりも過去の特定の本数以内の足のいずれかである判定基準足に対する「はらみ状態」であるか否かを判断する「はらみ状態」判定ステップと、
前記判定対象足が前記判定基準足に対する「はらみ状態」であり、且つ、前記判定対象足の矩形帯の色が、前記判定基準足の矩形帯の色と異なる場合に、前記判定対象足の矩形帯の色を調整する矩形帯調整が行われた状態で、前記株価・指数チャートを出力する出力ステップとを備える、チャート出力ソフトウエア。
【請求項１２】
株価・指数チャートをクライアント端末に出力させる出力方法であって、
前記株価・指数チャートは、金融市場において値が時間で変化する金融商品の相場を、時系列に沿った、期間ごとの足で示すものであり、
前記足は、所定の期間単位で、所定の時間帯における相場の当回分を含む過去の所定回数分の第１移動平均値と、前記相場の前記当回分よりも時間的に１つ前の前回分を含み、前記前回分から過去の前記所定回数分の第２移動平均値のうち、値が低い方を下端とし、値が高いものを上端とした矩形帯を含むものであり、
前記矩形帯のうち、前記第１移動平均値が上端で前記第２移動平均値が下端とするものは、第１色で出力され、前記第１移動平均値が下端で前記第２移動平均値が上端とするものは、前記第１色とは異なる第２色で出力され、
前記出力方法は、
前記足のうち、判定対象足が、前記判定対象足よりも過去の特定の本数以内の足のいずれかである判定基準足に対する「はらみ状態」であるか否かを判断する「はらみ状態」判定ステップと、
前記判定対象足が前記判定基準足に対する「はらみ状態」であり、且つ、前記判定対象足の矩形帯の色が、前記判定基準足の矩形帯の色と異なる場合に、前記判定対象足の矩形帯の色を調整する矩形帯調整が行われた状態で、前記株価・指数チャートを出力する出力ステップとを備える、出力方法。
【請求項１３】
相場情報を受信する相場情報受信サーバと、
前記相場情報受信サーバから取得した前記相場情報に基づいて、チャートデータとして、株価・指数チャートで示される足を描画するのに必要な数値を算出するチャートデータ演算処理サーバと、
前記チャートデータのうち、クライアント端末からのデータリクエスト要求に対応したものを前記チャートデータ演算処理サーバから取得し、前記クライアント端末に提供するデータアクセス処理サーバを複数有するクライアント端末リクエスト処理サーバ群と、
前記クライアント端末リクエスト処理サーバ群から提供された情報に基づいて、株価・指数チャートを出力する前記クライアント端末とを備えた、株価・指数チャート出力システムであって、
前記株価・指数チャートは、金融市場において値が時間で変化する金融商品の相場を、時系列に沿った、期間ごとの足で示すものであり、
前記足は、所定の期間単位で、所定の時間帯における相場の当回分を含む過去の所定回数分の第１移動平均値と、前記相場の前記当回分よりも時間的に１つ前の前回分を含み、前記前回分から過去の前記所定回数分の第２移動平均値のうち、値が低い方を下端とし、値が高いものを上端とした矩形帯を含むものであり、
前記矩形帯のうち、前記第１移動平均値が上端で前記第２移動平均値が下端とするものは、第１色で出力され、前記第１移動平均値が下端で前記第２移動平均値が上端とするものは、前記第１色とは異なる第２色で出力され、
前記株価・指数チャートは、前記足のうち、判定対象足が、前記判定対象足よりも過去の特定の本数以内の足のいずれかである判定基準足に対する「はらみ状態」であり、且つ、前記判定対象足の矩形帯の色が、前記判定基準足の矩形帯の色と異なる場合に、前記判定対象足の矩形帯の色を調整する矩形帯調整が行われた状態で、出力され、
前記数値は、前記第１移動平均値、前記第２移動平均値、前記矩形帯の前記種別に関する情報を含む、株価・指数チャート出力システム。
【請求項１４】
クライアント端末が出力する株価・指数チャートであって、
前記株価・指数チャートは、金融市場において値が時間で変化する金融商品の相場を、時系列に沿った、期間ごとの足で示すものであり、
前記足は、所定の期間単位で、所定の時間帯における相場の当回分を含む過去の所定回数分の第１移動平均値と、前記相場の前記当回分よりも時間的に１つ前の前回分を含み、前記前回分から過去の前記所定回数分の第２移動平均値のうち、値が低い方を下端とし、値が高いものを上端とした矩形帯を含むものであり、
前記矩形帯のうち、前記第１移動平均値が上端で前記第２移動平均値が下端とするものは、第１色で出力され、前記第１移動平均値が下端で前記第２移動平均値が上端とするものは、前記第１色とは異なる第２色で出力され、
前記株価・指数チャートは、前記足のうち、判定対象足が、前記判定対象足よりも過去の特定の本数以内の足のいずれかである判定基準足に対する所定の関係であり、且つ、前記判定対象足の矩形帯の色が、前記判定基準足の矩形帯の色と異なる場合に、前記判定対象足の矩形帯の色を調整する矩形帯調整が行われた状態で、出力される、株価・指数チャート。
【請求項１５】
クライアント端末が出力する株価・指数チャートであって、
前記株価・指数チャートは、金融市場において値が時間で変化する金融商品の相場を、時系列に沿った、期間ごとの足で示すものであり、
前記足は、所定の期間単位で、所定の時間帯における相場の当回分を含む過去の所定回数分の第１移動平均値と、前記相場の前記当回分よりも時間的に１つ前の前回分を含み、前記前回分から過去の前記所定回数分の第２移動平均値のうち、値が低い方を下端とし、値が高いものを上端とした矩形帯と、前記矩形帯と前記当回分の相場を結ぶ矢印線とを含むものであり、
前記矩形帯のうち、前記第１移動平均値が上端で前記第２移動平均値が下端とするものは、第１色で出力され、前記第１移動平均値が下端で前記第２移動平均値が上端とするものは、前記第１色とは異なる第２色で出力され、
前記株価・指数チャートは、前記足のうち、判定対象足が、前記判定対象足よりも過去の特定の本数以内の足のいずれかである判定基準足に対する「はらみ状態」であり、且つ、前記判定対象足の矩形帯の色が、前記判定基準足の矩形帯の色と異なる場合に、前記判定対象足の矩形帯の色を調整する矩形帯調整が行われた状態で、出力される、株価・指数チャート。
【発明の詳細な説明】
【技術分野】
【０００１】
本発明は、株価・指数チャートなどに関する。
【背景技術】
【０００２】
従来、特許文献１のように、移動平均値を用い、陽足と陰足の変化が緩やかな株価・指数チャートが提案されている。
【先行技術文献】
【特許文献】
【０００３】
【特許文献１】特開２００２−１８３４５１号公報
【発明の概要】
【発明が解決しようとする課題】
【０００４】
しかしながら、足が過去の足に基づく「はらみ状態」の場合には、陽足と陰足の変化が比較的多くなり、上昇トレンドか下降トレンドかの判断が難しい問題があった。
【０００５】
したがって本発明の目的は、上昇トレンドと下降トレンドの見極めがしやすい株価・指数チャートなどを提供することである。
【課題を解決するための手段】
【０００６】
本発明に係る株価・指数チャートは、クライアント端末が出力する株価・指数チャートであって、株価・指数チャートは、金融市場において値が時間で変化する金融商品の相場を、時系列に沿った、期間ごとの足で示すものであり、足は、所定の期間単位で、所定の時間帯における相場の当回分を含む過去の所定回数分の第１移動平均値と、相場の当回分よりも時間的に１つ前の前回分を含み、前回分から過去の所定回数分の第２移動平均値のうち、値が低い方を下端とし、値が高いものを上端とした矩形帯を含むものであり、矩形帯のうち、第１移動平均値が上端で第２移動平均値が下端とするものは、第１色で出力され、第１移動平均値が下端で第２移動平均値が上端とするものは、第１色とは異なる第２色で出力され、株価・指数チャートは、足のうち、判定対象足が、判定対象足よりも過去の特定の本数以内の足のいずれかである判定基準足に対する「はらみ状態」であり、且つ、判定対象足の矩形帯の色が、判定基準足の矩形帯の色と異なる場合に、判定対象足の矩形帯の色を調整する矩形帯調整が行われた状態で、出力される。
【０００７】
株価・指数チャートにおける矩形帯の色が第１色から第２色に変化すると、上昇トレンドが下降トレンドに反転する可能性があるが、当該第２色の矩形帯を含む足が過去一定期間内の足に対する「はらみ状態」である場合は、下降が一時的なもので、すぐに上昇トレンドに戻る（第１色の矩形帯を含む足が続く状態になる）可能性もある。
株価・指数チャートにおける矩形帯の色が第２色から第１色に変化すると、下降トレンドが上昇トレンドに反転する可能性があるが、当該第１色の矩形帯を含む足が過去一定期間内の足に対する「はらみ状態」である場合は、上昇が一時的なもので、すぐに下降トレンドに戻る（第２色の矩形帯を含む足が続く状態になる）可能性もある。
【０００８】
本発明では、「はらみ状態」の足については、矩形帯の色を調整する。
これにより、上昇トレンドか下降トレンドかの確実性が高い状態になるまで、矩形帯の色を同じ状態にして、上昇トレンドと下降トレンドの見極めがしやすい株価・指数チャートを出力することが可能になる。
【０００９】
好ましくは、判定対象足の上端の値が、判定基準足の上端の値よりも低く、判定対象足の下端の値が、判定基準足の下端の値よりも高い場合に、判定対象足が、判定基準足に対する「はらみ状態」であると判断され、判定対象足の上端の値は、判定対象足に対応する当回分の相場と第１移動平均値と第２移動平均値の中で最も高い値であり、判定対象足の下端の値は、判定対象足に対応する当回分の相場と第１移動平均値と第２移動平均値の中で最も低い値であり、判定基準足の上端の値は、判定基準足に対応する当回分の相場と第１移動平均値と第２移動平均値の中で最も高い値であり、判定基準足の下端の値は、判定基準足に対応する当回分の相場と第１移動平均値と第２移動平均値の中で最も低い値である。
【００１０】
さらに好ましくは、判定対象足が判定基準足に対する「はらみ状態」であり、且つ判定対象足の矩形帯の色が判定基準足の矩形帯の色と異なる場合に、矩形帯調整は、判定対象足の矩形帯の色を、判定基準足の矩形帯の色と同じにする。
【００１１】
また、好ましくは、判定対象足が判定基準足に対する「はらみ状態」であり、且つ判定対象足の矩形帯の色が判定基準足の矩形帯の色と異なる場合に、矩形帯調整は、判定対象足の矩形帯の色について、判定基準足の矩形帯の色と、色相が同じで、且つ明度と彩度の少なくとも一方が異なるものにする。
【００１２】
「はらみ状態」の足の矩形帯を、「はらみ状態」でない足の矩形帯と異なる色で出力し、使用者に「はらみ」状態の足を視認させやすく出来る。
【００１３】
また、好ましくは、判定対象足が判定基準足に対する「はらみ状態」であり、且つ判定対象足の矩形帯の色が判定基準足の矩形帯の色と異なる場合に、矩形帯調整は、判定対象足の矩形帯の色を、判定基準足の矩形帯の色と同じにし、且つ判定対象足の矩形帯に「はらみ状態」でない足の矩形帯と異なる枠を設ける。
【００１４】
また、好ましくは、判定対象足が判定基準足に対する「はらみ状態」であり、且つ判定対象足の矩形帯の色が判定基準足の矩形帯の色と異なる場合に、矩形帯調整は、判定対象足の矩形帯の色相を、「はらみ状態」でない足であって、且つ判定対象足の矩形帯と同じ色相の矩形帯と比べて、判定基準足の矩形帯の色相に近いものにする。
【００１５】
また、好ましくは、第１色と第２色は、色相が同じで、且つ明度の異なるものであり、判定対象足が判定基準足に対する「はらみ状態」であり、且つ判定対象足の矩形帯の明度が判定基準足の矩形帯の明度と異なる場合に、矩形帯調整は、判定対象足の矩形帯の明度を、「はらみ状態」でない足であって、且つ判定対象足の矩形帯と同じ明度の矩形帯と比べて、判定基準足の矩形帯の明度に近いものにする。
【００１６】
さらに好ましくは、所定の時間帯における相場は、所定の時間帯における終値であり、所定の期間単位は、分単位、日単位、週単位、月単位のいずれかである。
【００１７】
さらに好ましくは、足は、矩形帯と、足に対応する第１移動平均値から当回分の相場に向けた矢印線を含む。
【００１８】
本発明に係るクライアント端末は、金融市場において値が時間で変化する金融商品の相場を、時系列に沿った、期間ごとの足で示す株価・指数チャートを出力するクライアント端末であって、足は、所定の期間単位で、所定の時間帯における相場の当回分を含む過去の所定回数分の第１移動平均値と、相場の当回分よりも時間的に１つ前の前回分を含み、前回分から過去の所定回数分の第２移動平均値のうち、値が低い方を下端とし、値が高いものを上端とした矩形帯を含むものであり、矩形帯のうち、第１移動平均値が上端で第２移動平均値が下端とするものは、第１色で出力され、第１移動平均値が下端で第２移動平均値が上端とするものは、第１色とは異なる第２色で出力され、株価・指数チャートは、足のうち、判定対象足が、判定対象足よりも過去の特定の本数以内の足のいずれかである判定基準足に対する「はらみ状態」であり、且つ、判定対象足の矩形帯の色が、判定基準足の矩形帯の色と異なる場合に、判定対象足の矩形帯の色を調整する矩形帯調整が行われた状態で、出力される。
【００１９】
本発明に係るチャート出力ソフトウエアは、株価・指数チャートをクライアント端末に出力させるチャート出力ソフトウエアであって、株価・指数チャートは、金融市場において値が時間で変化する金融商品の相場を、時系列に沿った、期間ごとの足で示すものであり、足は、所定の期間単位で、所定の時間帯における相場の当回分を含む過去の所定回数分の第１移動平均値と、相場の当回分よりも時間的に１つ前の前回分を含み、前回分から過去の所定回数分の第２移動平均値のうち、値が低い方を下端とし、値が高いものを上端とした矩形帯を含むものであり、矩形帯のうち、第１移動平均値が上端で第２移動平均値が下端とするものは、第１色で出力され、第１移動平均値が下端で第２移動平均値が上端とするものは、第１色とは異なる第２色で出力され、チャート出力ソフトウエアは、足のうち、判定対象足が、判定対象足よりも過去の特定の本数以内の足のいずれかである判定基準足に対する「はらみ状態」であるか否かを判断する「はらみ状態」判定ステップと、判定対象足が判定基準足に対する「はらみ状態」であり、且つ、判定対象足の矩形帯の色が、判定基準足の矩形帯の色と異なる場合に、判定対象足の矩形帯の色を調整する矩形帯調整が行われた状態で、株価・指数チャートを出力する出力ステップとを備える。
【００２０】
本発明に係る出力方法は、株価・指数チャートをクライアント端末に出力させる出力方法であって、株価・指数チャートは、金融市場において値が時間で変化する金融商品の相場を、時系列に沿った、期間ごとの足で示すものであり、足は、所定の期間単位で、所定の時間帯における相場の当回分を含む過去の所定回数分の第１移動平均値と、相場の当回分よりも時間的に１つ前の前回分を含み、前回分から過去の所定回数分の第２移動平均値のうち、値が低い方を下端とし、値が高いものを上端とした矩形帯を含むものであり、矩形帯のうち、第１移動平均値が上端で第２移動平均値が下端とするものは、第１色で出力され、第１移動平均値が下端で第２移動平均値が上端とするものは、第１色とは異なる第２色で出力され、出力方法は、足のうち、判定対象足が、判定対象足よりも過去の特定の本数以内の足のいずれかである判定基準足に対する「はらみ状態」であるか否かを判断する「はらみ状態」判定ステップと、判定対象足が判定基準足に対する「はらみ状態」であり、且つ、判定対象足の矩形帯の色が、判定基準足の矩形帯の色と異なる場合に、判定対象足の矩形帯の色を調整する矩形帯調整が行われた状態で、株価・指数チャートを出力する出力ステップとを備える。
【００２１】
本発明に係る株価・指数チャート出力システムは、相場情報を受信する相場情報受信サーバと、相場情報受信サーバから取得した相場情報に基づいて、チャートデータとして、株価・指数チャートで示される足を描画するのに必要な数値を算出するチャートデータ演算処理サーバと、チャートデータのうち、クライアント端末からのデータリクエスト要求に対応したものをチャートデータ演算処理サーバから取得し、クライアント端末に提供するデータアクセス処理サーバを複数有するクライアント端末リクエスト処理サーバ群と、クライアント端末リクエスト処理サーバ群から提供された情報に基づいて、株価・指数チャートを出力するクライアント端末とを備えた、株価・指数チャート出力システムであって、株価・指数チャートは、金融市場において値が時間で変化する金融商品の相場を、時系列に沿った、期間ごとの足で示すものであり、足は、所定の期間単位で、所定の時間帯における相場の当回分を含む過去の所定回数分の第１移動平均値と、相場の当回分よりも時間的に１つ前の前回分を含み、前回分から過去の所定回数分の第２移動平均値のうち、値が低い方を下端とし、値が高いものを上端とした矩形帯を含むものであり、矩形帯のうち、第１移動平均値が上端で第２移動平均値が下端とするものは、第１色で出力され、第１移動平均値が下端で第２移動平均値が上端とするものは、第１色とは異なる第２色で出力され、株価・指数チャートは、足のうち、判定対象足が、判定対象足よりも過去の特定の本数以内の足のいずれかである判定基準足に対する「はらみ状態」であり、且つ、判定対象足の矩形帯の色が、判定基準足の矩形帯の色と異なる場合に、判定対象足の矩形帯の色を調整する矩形帯調整が行われた状態で、出力され、数値は、第１移動平均値、第２移動平均値、矩形帯の種別に関する情報を含む。
【００２２】
相場情報受信サーバを、他のサーバと別体で構成することで、他の機器からのアクセスなどで、相場情報が破損する可能性を低く出来る。
【００２３】
クライアント端末リクエスト処理サーバ群が複数のデータアクセス処理サーバを含むため、複数のクライアント端末からのアクセスがあった場合の負荷を、当該複数のデータアクセス処理サーバに分散させることが出来る。
【００２４】
本発明に係る株価・指数チャートは、クライアント端末が出力する株価・指数チャートであって、株価・指数チャートは、金融市場において値が時間で変化する金融商品の相場を、時系列に沿った、期間ごとの足で示すものであり、足は、所定の期間単位で、所定の時間帯における相場の当回分を含む過去の所定回数分の第１移動平均値と、相場の当回分よりも時間的に１つ前の前回分を含み、前回分から過去の所定回数分の第２移動平均値のうち、値が低い方を下端とし、値が高いものを上端とした矩形帯を含むものであり、矩形帯のうち、第１移動平均値が上端で第２移動平均値が下端とするものは、第１色で出力され、第１移動平均値が下端で第２移動平均値が上端とするものは、第１色とは異なる第２色で出力され、株価・指数チャートは、足のうち、判定対象足が、判定対象足よりも過去の特定の本数以内の足のいずれかである判定基準足に対する所定の関係であり、且つ、判定対象足の矩形帯の色が、判定基準足の矩形帯の色と異なる場合に、判定対象足の矩形帯の色を調整する矩形帯調整が行われた状態で、出力される。
【００２５】
本発明に係る株価・指数チャートは、クライアント端末が出力する株価・指数チャートであって、株価・指数チャートは、金融市場において値が時間で変化する金融商品の相場を、時系列に沿った、期間ごとの足で示すものであり、足は、所定の期間単位で、所定の時間帯における相場の当回分を含む過去の所定回数分の第１移動平均値と、相場の当回分よりも時間的に１つ前の前回分を含み、前回分から過去の所定回数分の第２移動平均値のうち、値が低い方を下端とし、値が高いものを上端とした矩形帯と、矩形帯と当回分の相場を結ぶ矢印線とを含むものであり、矩形帯のうち、第１移動平均値が上端で第２移動平均値が下端とするものは、第１色で出力され、第１移動平均値が下端で第２移動平均値が上端とするものは、第１色とは異なる第２色で出力され、株価・指数チャートは、足のうち、判定対象足が、判定対象足よりも過去の特定の本数以内の足のいずれかである判定基準足に対する「はらみ状態」であり、且つ、判定対象足の矩形帯の色が、判定基準足の矩形帯の色と異なる場合に、判定対象足の矩形帯の色を調整する矩形帯調整が行われた状態で、出力される。
【発明の効果】
【００２６】
以上のように本発明によれば、上昇トレンドと下降トレンドの見極めがしやすい株価・指数チャートなどを提供することができる。
【図面の簡単な説明】
【００２７】
【図１】本実施形態における株価・指数チャート出力システムの構成図である。
【図２】第１矩形帯調整をする前の、矢印線を含む株価・指数チャートを示す図である。
【図３】株価・指数チャートの出力処理の手順を示すフローチャートである。
【図４】図３の手順１００４の詳細（チャートデータ出力処理の手順）を示すフローチャートである。
【図５】第１矩形帯調整をする前の、矢印線を含まない株価・指数チャートを示す図である。
【図６】第１矩形帯調整をした後の、矢印線を含む株価・指数チャートを示す図である。
【図７】第１矩形帯調整をした後の、矢印線を含まない株価・指数チャートを示す図である。
【図８】第２矩形帯調整をした後の、矢印線を含まない株価・指数チャートを示す図である。
【図９】第３矩形帯調整をした後の、矢印線を含まない株価・指数チャートを示す図である。
【発明を実施するための形態】
【００２８】
以下、本実施形態に係る株価・指数チャート出力システムについて、図を用いて説明する。
なお、実施形態は、以下の実施形態に限られるものではない。また、一つの実施形態に記載した内容は、原則として他の実施形態にも同様に適用される。また、各実施形態及び各変形例は、適宜組み合わせることができる。
【００２９】
本実施形態における株価・指数チャート出力システム１は、相場情報提供元サーバ１００、相場情報受信サーバ１１０、チャートデータ演算処理サーバ１２０、クライアント端末リクエスト処理サーバ群１３０、クライアント端末１４０、チャート以外のデータ演算処理サーバ１５０、ファンダメンタルデータ受信サーバ１６０、ファンダメンタルデータ提供元サーバ１７０を備える（図１参照）。
【００３０】
なお、本実施形態では、株価・指数チャートの出力は、クライアント端末１４０のディスプレイに表示することとして説明するが、クライアント端末１４０に接続若しくは内蔵されたプリンタを介して紙媒体へ印字することを株価・指数チャートの出力としてもよい。
【００３１】
また、本実施形態における矩形帯の色の調整は、当該矩形帯の色相、明度、彩度のいずれかを変化させたり、当該矩形帯の枠を変化させたりするものを言う。
【００３２】
（各ハードウエアの構成）
相場情報提供元サーバ１００は、専用ＩＰ（Internet Protocol）回線を用いて銘柄情報及び株価を含む相場情報１０１を提供する。
【００３３】
相場情報受信サーバ１１０は、第１データ受信部１１１と相場情報データベース１１２を有する。
相場情報受信サーバ１１０は、リアルタイムに送信される相場情報１０１を第１データ受信部１１１で受信し、銘柄及び市場ごとに分類し相場情報データベース１１２に格納する。
【００３４】
相場情報受信サーバ１１０を、他のサーバと別体で構成し、専用ＩＰ回線で相場情報提供元サーバ１００と通信させることで、他の機器からのアクセスなどで、相場情報１０１を格納した相場情報データベース１１２が破損する可能性を低く出来る。また、回線速度の安定性によって、相場情報１０１のパケットロス（欠損）や遅延の可能性を低く出来る。
【００３５】
チャートデータ演算処理サーバ１２０は、データ演算処理部１２１とチャートデータベース１２２を有する。
チャートデータ演算処理サーバ１２０は、相場情報データベース１１２から相場情報１０１を取得し、それを基にデータ演算処理部１２１でデータの整形およびチャートデータを算出し、チャートデータベース１２２に格納する。
【００３６】
具体的には、チャートデータ演算処理サーバ１２０は、チャートデータとして、株価・指数チャートで示される足（矩形帯と矢印線）を描画するのに必要な数値を算出する。
相場情報データベース１１２から取得する相場情報１０１は、銘柄別で、所定の時間帯における相場（例えば、終値）を含む。
【００３７】
株価・指数チャートで示される足を描画するのに必要な数値は、銘柄別で、且つ分単位、日単位・週単位・月単位の第１移動平均値と第２移動平均値、矩形帯が陽線か陰線かの情報、矢印線が陽線か陰線かの情報、及び足を構成する矩形帯と矢印線を描画するための情報を含む。
第１移動平均値が第２移動平均値以上に高い場合に、矩形帯が陽線とされ、第１移動平均値が第２移動平均値未満の場合に、矩形帯が陰線とされる。
所定の時間帯における相場が第１移動平均値以上に高い場合に、矢印線が陽線とされ、所定の時間帯における相場が第１移動平均値未満の場合に、矢印線が陰線とされる。
第１移動平均値と第２移動平均値と矩形帯と矢印線の内容については、後述する。
【００３８】
クライアント端末リクエスト処理サーバ群１３０は、複数のデータアクセス処理サーバ１３１を有する。
データアクセス処理サーバ１３１は、リクエスト処理部１３２を有する。
データアクセス処理サーバ１３１は、クライアント端末１４０で動作するチャート出力ソフトウエア１４１からのデータリクエスト要求を受信し、リクエスト処理部１３２によってデータリクエスト要求に対応したデータをチャートデータベース１２２及びチャート以外の銘柄データベース１５２から取得し、チャート出力ソフトウエア１４１（クライアント端末１４０）に提供する。
【００３９】
クライアント端末リクエスト処理サーバ群１３０が複数のデータアクセス処理サーバ１３１を含むため、複数のクライアント端末１４０からのアクセスがあった場合の負荷を、当該複数のデータアクセス処理サーバ１３１に分散させることが出来る。
【００４０】
クライアント端末１４０には、チャート出力ソフトウエア１４１がインストールされる。
クライアント端末１４０は、チャート出力ソフトウエア１４１を介して、クライアント端末リクエスト処理サーバ群１３０から提供された情報に基づいて、株価・指数チャートを出力する。
チャート出力ソフトウエア１４１の詳細については後述する。
【００４１】
チャート以外のデータ演算処理サーバ１５０は、データ演算処理モジュール群１５１とチャート以外の銘柄データベース１５２を有する。
チャート以外のデータ演算処理サーバ１５０は、ファンダメンタルデータベース１６２およびチャートデータベース１２２それぞれから必要なデータを取得し、データ演算処理モジュール群１５１で算出したチャート以外の銘柄データをチャート以外の銘柄データベース１５２に格納する。
【００４２】
ファンダメンタルデータ受信サーバ１６０は、第２データ受信部１６１とファンダメンタルデータベース１６２を有する。
ファンダメンタルデータ受信サーバ１６０は、企業情報１７１を第２データ受信部１６１で受信し、それを基にファンダメンタル指標の算出とデータの整形を行い、ファンダメンタルデータベース１６２に格納する。
【００４３】
ファンダメンタルデータ提供元サーバ１７０は、インターネット網を通して決算などの企業情報１７１を提供する。
【００４４】
本実施形態では、幾つかのサーバが、計算処理を分担する形態を説明したが、１つのサーバ若しくは、１つのクライアント端末で、これらの計算処理を行う形態であってもよい。
【００４５】
（株価・指数チャートの構成）
チャート出力ソフトウエア１４１は、株価・指数チャート出力システム１において、クライアント端末１４０のディスプレイ等を通じて、金融市場における株、債券、外国為替、先物取引商品など値が時間で変化する金融商品（以下、単に「金融商品」とする。）の相場（価格、若しくはポイント）を、時系列に沿った、期間ごとの足（bar）で示す株価・指数チャートの閲覧機能を提供するソフトウエアである。
【００４６】
株価・指数チャートでは、所定の期間単位で、所定の時間帯における相場の当回分を含む過去の所定の回数分の移動平均値（第１移動平均値）と、当該相場の当回分よりも時間的に１つ前（前回分）を含み、当該前回分から過去の所定の回数分の移動平均値（第２移動平均値）のうち、値が低い方を下端とし、値が高い方を上端とした矩形帯と、第１移動平均値から当該当回分の相場に向けた矢印線とを含む足が、時系列に沿って並べられる。
【００４７】
また、第１移動平均値が上端で第２移動平均値が下端とする陽線の矩形帯は、第１色（例えば、ピンク色）で出力され、第１移動平均値が下端で第２移動平均値が上端とする陰線の矩形帯は、第１色とは異なる第２色（例えば、水色）で出力される。
【００４８】
ただし、一定条件下で、「はらみ状態」と判断された足の矩形帯については、陽線でも第２色で出力される場合があるし、陰線でも第１色で出力される場合がある（第１矩形帯調整）。
第１矩形帯調整の詳細については、後述する。
【００４９】
また、当回分の相場が第１移動平均値以上に高い陽線の矢印線は、第１色で出力され、当回分の相場が第１移動平均値よりも低い陰線矢印線は、第２色で出力される。
【００５０】
図２、図５〜図９では、第１色の矩形帯及び矢印線がピンク色の代わりに黒色で表され、第２色の矩形帯及び矢印線が水色の代わりに白色で表される。
【００５１】
なお、チャート出力ソフトウエア１４１は、「第１出力モード」と「第２出力モード」の出力を切り替えるユーザインターフェースを持つ。
「第１出力モード」では、矢印線を含んだ状態の株価・指数チャート、すなわち、矢印線と矩形帯を含む足が時系列に並べられた株価・指数チャートが出力される（図２、図６参照）。
「第２出力モード」では、矢印線を含まない状態の株価・指数チャート、すなわち矢印線を含まず、矩形帯を含む足が時系列に並べられた株価・指数チャートが出力される（図５、図７〜図９参照）。
【００５２】
所定の期間単位としては、例えば、分単位、日単位、週単位、月単位が考えられる。
本実施形態では、分単位の足を時系列で並べた株価・指数チャートを、分足チャートとし、日単位の足を時系列で並べた株価・指数チャートを日足チャートとし、週単位で足を時系列で並べた株価・指数チャートを週足チャートとし、月単位で足を時系列で並べた株価・指数チャートを月足チャートとする。
なお、分単位は、１分、５分、１５分、３０分など、所定の単位時間が選択される。
また、株価・指数チャートでは、時間軸から取引時間外が除かれ、取引時間内のデータが連続的に示される。
【００５３】
所定の時間帯の相場は、例えば、所定の期間単位の終値（所定の期間の終了時点の価格、日単位の場合の取引終了時点の価格など）が考えられる。
【００５４】
所定の回数としては、例えば、短期（３回）、中期（１２〜２５回）、長期（２６回〜７５回）が考えられる。
本実施形態では、短期の分足チャートでは、３回分の移動平均値が用いられ、中期の分足チャートでは、２５回分の移動平均値が用いられ、長期の分足チャートでは、７５回分の移動平均値が用いられる。
また、短期の日足チャートでは、３日分の移動平均値が用いられ、中期の日足チャートでは、２５日分の移動平均値が用いられ、長期の日足チャートでは、７５日分の移動平均値が用いられる。
また、短期の週足チャートでは、３週分の移動平均値が用いられ、中期の週足チャートでは、１３週分の移動平均値が用いられ、長期の週足チャートでは、２６週分の移動平均値が用いられる。
また、短期の月足チャートでは、３ヶ月分の移動平均値が用いられ、中期の月足チャートでは、１２ヶ月分の移動平均値が用いられ、長期の月足チャートでは、３６ヶ月分の移動平均値が用いられる。
【００５５】
具体的には、短期の分足チャートでは、分単位の終値の当回分と当該当回から過去２回分の移動平均値（第１移動平均値）と、分単位の終値の前回分と当該前回から過去２回分の移動平均値（第２移動平均値）のうち、値が低い方を下端とし、値が高い方を上端とした矩形帯と、第１移動平均値から当該当回の終値に向けた矢印線とを含む足が、時系列に沿って並べられる。
また、中期の分足チャートでは、分単位の終値の当回分と当該当回から過去２４回分の移動平均値（第１移動平均値）と、分単位の終値の前回分と当該前回から過去２４回分の移動平均値（第２移動平均値）のうち、値が低い方を下端とし、値が高い方を上端とした矩形帯と、第１移動平均値から当該当回の終値に向けた矢印線とを含む足が、時系列に沿って並べられる。
また、長期の分足チャートでは、分単位の終値の当回分と当該当回から過去７４回分の移動平均値（第１移動平均値）と、分単位の終値の前回分と当該前回から過去７４回分の移動平均値（第２移動平均値）のうち、値が低い方を下端とし、値が高い方を上端とした矩形帯と、第１移動平均値から当該当回の終値に向けた矢印線とを含む足が、時系列に沿って並べられる。
【００５６】
また、短期の日足チャートでは、日単位の終値の当日分と当該当日から過去２日分の移動平均値（第１移動平均値）と、日単位の終値の前日分と当該前日から過去２日分の移動平均値（第２移動平均値）のうち、値が低い方を下端とし、値が高い方を上端とした矩形帯と、第１移動平均値から当該当日の終値に向けた矢印線とを含む足が、時系列に沿って並べられる。
また、中期の日足チャートでは、日単位の終値の当日分と当該当日から過去２４日分の移動平均値（第１移動平均値）と、日単位の終値の前日分と当該前日から過去２４日分の移動平均値（第２移動平均値）のうち、値が低い方を下端とし、値が高い方を上端とした矩形帯と、第１移動平均値から当該当日の終値に向けた矢印線とを含む足が、時系列に沿って並べられる。
また、長期の日足チャートでは、日単位の終値の当日分と当該当日から過去７４日分の移動平均値（第１移動平均値）と、日単位の終値の前日分と当該前日から過去７４日分の移動平均値（第２移動平均値）のうち、値が低い方を下端とし、値が高い方を上端とした矩形帯と、第１移動平均値から当該当日の終値に向けた矢印線とを含む足が、時系列に沿って並べられる。
【００５７】
また、短期の週足チャートでは、週単位の終値の当週分と当該当週から過去２週の移動平均値（第１移動平均値）と、週単位の終値の前週分と当該前週から過去２週分の移動平均値（第２移動平均値）のうち、値が低い方を下端とし、値が高い方を上端とした矩形帯と、第１移動平均値から当該当週の終値に向けた矢印線とを含む足が、時系列に沿って並べられる。
また、中期の週足チャートでは、週単位の終値の当週分と当該当週から過去１２週分の移動平均値（第１移動平均値）と、週単位の終値の前週分と当該当週から過去１２週分の移動平均値（第２移動平均値）のうち、値が低い方を下端とし、値が高い方を上端とした矩形帯と、第１移動平均値から当該当週の終値に向けた矢印線とを含む足が、時系列に沿って並べられる。
また、長期の週足チャートでは、週単位の終値の当週分と当該当週から過去２５週分の移動平均値（第１移動平均値）と、週単位の終値の前週分と当該全周から過去２５週分の移動平均値（第２移動平均値）のうち、値が低い方を下端とし、値が高い方を上端とした矩形帯と、第１移動平均値から当該当週の終値に向けた矢印線とを含む足が、時系列に沿って並べられる。
【００５８】
また、短期の月足データでは、月単位の終値の当月分と当該当月から過去２ヶ月分の移動平均値（第１移動平均値）と、月単位の終値の前月分と当該前月から過去２ヶ月分の移動平均値（第２移動平均値）のうち、値が低い方を下端とし、値が高い方を上端とした矩形帯と、第１移動平均値から当該当月の終値に向けた矢印線とを含む足が、時系列に沿って並べられる。
また、中期の月足データでは、月単位の終値の当月分と当該当月から過去１１ヶ月分の移動平均値（第１移動平均値）と、月単位の終値の前月分と当該前月から過去１１ヶ月分の移動平均値（第２移動平均値）のうち、値が低い方を下端とし、値が高い方を上端とした矩形帯と、第１移動平均値から当該当月の終値に向けた矢印線とを含む足が、時系列に沿って並べられる。
また、長期の月足データでは、月単位の終値の当月分と当該当月から過去３５ヶ月分の移動平均値（第１移動平均値）と、月単位の終値の前月分と当該前月から過去３５ヶ月分の移動平均値（第２移動平均値）のうち、値が低い方を下端とし、値が高い方を上端とした矩形帯と、第１移動平均値から当該当月の終値に向けた矢印線とを含む足が、時系列に沿って並べられる。
【００５９】
また、本実施形態におけるチャート出力ソフトウエア１４１は、「はらみ状態」の場合に、「はらみ状態」の矩形帯の出力態様を、当該「はらみ状態」の基となる矩形帯の色に合わせるなど調整した状態で、株価・指数チャートを出力する「矩形帯調整モード」のオンオフを切り替えるユーザインターフェースを持つ。
【００６０】
本実施形態において対象となる足データは終値が確定した分足、日足、週足、月足の全てとし、短期足、中期足、長期足全てである。
なお、短期足、中期足、長期足に対する処理内容は全く同じであるため、これ以降に示す動作説明では、短期、中期、長期の表現を省略する。
【００６１】
図２は、株価・指数チャートの一例として、短期の日足チャートを示す。
株価・指数チャートでは、基準となる足を通るように第１縦線ｖ１が設けられ、当該基準となる足についての第１移動平均値及び第２移動平均値の計算に用いられる足のうち、最も古いものを通るように第２縦線ｖ２が設けられ、最新の足から一定回数分ごとを区切る第３縦線ｖ３が設けられる。
図２は、第１縦線ｖ１は、最新の足を通るように設けられ、第２縦線ｖ２は、最近の足から３日前の足を通るように設けられ、第３縦線ｖ３は、１４日ごとに区切るように設けられる例を示す。
【００６２】
なお、図２、図５〜図９は、短期の日足チャートだけを出力する例を示すが、同じ表示領域に同じ銘柄の中期の日足チャートと長期の日足チャートも一緒に出力する形態であってもよい。
【００６３】
（「はらみ状態」の定義）
「はらみ状態」とは、本実施形態における株価・指数チャートにおいて、ある任意の足（矩形帯＋矢印線）が、その足から見て１本ないし特定の本数以内の過去の足（矩形帯＋矢印線）の、値段方向の全長領域内に含まれる状態を言う。
具体的には、任意の足（判定対象足）と、判定対象足よりも過去の特定の本数以内の足のいずれか（判定基準足）とを比較し、判定対象足の上端の値が、判定基準足の上端の値よりも低く、且つ判定対象足の下端の値が、判定基準足の下端の値よりも高い状態を言う。
【００６４】
（「はらみ状態」の別の定義）
なお、矢印線を考慮せず、ある任意の矩形帯が、その矩形帯から見て１本ないし特定の本数以内の過去の矩形帯の、値段方向の全長領域内に含まれる状態を「はらみ状態」と定義してもよい。
この場合、任意の矩形帯（判定対象帯）と、判定対象帯よりも過去の特定の本数以内の矩形帯のいずれか（判定基準帯）とを比較し、判定対象帯の上端の値が、判定基準帯の上端の値よりも低く、且つ判定対象帯の下端の値が、判定基準帯の下端の値よりも高い状態となる。
【００６５】
判定対象足の上端の値は、判定対象足に対応する当回分の相場と第１移動平均値と第２移動平均値の中で最も高い値であり、判定対象足の下端の値は、判定対象足に対応する当回分の相場と第１移動平均値と第２移動平均値の中で最も低い値であり、判定基準足の上端の値は、判定基準足に対応する当回分の相場と第１移動平均値と第２移動平均値の中で最も高い値であり、判定基準足の下端の値は、判定基準足に対応する当回分の相場と第１移動平均値と第２移動平均値の中で最も低い値である。
【００６６】
本実施形態では、「はらみ状態」と見なす判断基準となる特定の本数は２５本とするが、他の任意の本数であってもよい。
すなわち、当該判定対象足よりも過去の特定の本数以内の過去の足が判定基準足となり、当該特定の本数の判定基準足について、当該判定対象足が「はらみ状態」であるか否かが判断される。
【００６７】
ただし、判定対象足と、判定基準足の間に、判定基準足との関係で「はらみ状態」でない足が存在する場合には、当該判定対象足は、当該判定基準足との関係では「はらみ状態」であるとは判断されない。
【００６８】
図２に示すように、足２００３を判定対象足とし、判定対象足（足２００３）よりも過去の２５本以内の足の一つである足２００１を判定基準足とした場合に、判定対象足（足２００３）の上端（矩形帯の上端）の値は、判定基準足（足２００１）の上端（矢印線の先端）の値２１００よりも低く、且つ判定対象足（足２００３）の下端（矩形帯の下端）の値は、判定基準足（足２００１）の下端（矩形帯の下端）の値２１０１よりも高い。
判定対象足（足２００３）と判定基準足（足２００１）の間にある足２００２の上端（矢印線の先端）の値は、判定基準足（足２００１）の上端（矢印線の先端）の値２１００よりも低く、足２００２の下端（矩形帯の下端）の値は、判定基準足（足２００１）の下端（矩形帯の下端）の値２１０１よりも高いので、足２００２は判定基準足（足２００１）に対して、「はらみ状態」である。
したがって、判定対象足（足２００３）と判定基準足（足２００１）の間に、判定対象足（足２００１）との関係で「はらみ状態」でない足は存在しない。
このため、判定対象足（足２００３）は判定基準足（足２００１）に対する「はらみ状態」である。
【００６９】
足２００４を判定対象足とし、判定対象足（足２００４）よりも過去の２５本以内の足の一つである足２００１を判定基準足とした場合に、判定対象足（足２００４）の上端（矩形帯の上端）の値は、判定基準足（足２００１）の上端（矢印線の先端）の値２１００よりも低く、且つ判定対象足（足２００４）の下端（矢印線の先端）の値は、判定基準足（足２００１）の下端（矩形帯の下端）の値２１０１よりも高い。
また、判定対象足（足２００４）と判定基準足（足２００１）の間に、判定対象足（足２００１）との関係で「はらみ状態」でない足は存在しない。
このため、判定対象足（足２００４）は判定基準足（足２００１）に対する「はらみ状態」である。
【００７０】
足２０１３を判定対象足とし、判定対象足（足２０１３）よりも過去の２５本以内の足の一つである足２００１を判定基準足とした場合に、判定対象足（足２０１３）の上端（矢印線の先端）の値は、判定基準足（足２００１）の上端（矢印線の先端）の値２１００よりも低く、且つ判定対象足（足２０１３）の下端（矩形帯の下端）の値は、判定基準足（足２００１）の下端（矩形帯の下端）の値２１０１よりも高い。
また、判定対象足（足２０１３）と判定基準足（足２００１）の間に、判定対象足（足２００１）との関係で「はらみ状態」でない足は存在しない。
このため、判定対象足（足２０１３）は判定基準足（足２００１）に対する「はらみ状態」である。
【００７１】
同様に足２００５〜足２０１２も、足２００１に対する「はらみ状態」である。
【００７２】
足２０１４を判定対象足とし、判定対象足（足２０１４）よりも過去の２５本以内の足の一つである足２００１を判定基準足とした場合に、判定対象足（足２０１４）の上端（矢印線の先端）の値は、判定基準足（足２００１）の上端（矢印線の先端）の値２１００よりも高い。
このため、判定対象足（足２０１４）は判定基準足（足２００１）に対する「はらみ状態」ではない。
【００７３】
（株価・指数チャートの出力処理）
本実施形態のチャート出力ソフトウエア１４１において、ユーザによって銘柄と足の種別（分足・日足・週足・月足）が指定されてから、株価・指数チャートをクライアント端末１４０のディスプレイに出力させるまでの処理を示す。
チャート出力ソフトウエア１４１は、図３に示すように、手順１００１〜手順１００４を実行する。
【００７４】
クライアント端末１４０は、手順１００１で、ユーザインターフェースを介して、ユーザが出力対象として選択した銘柄と、足の種別に関する情報入力を受ける。
クライアント端末１４０は、手順１００２で、クライアント端末リクエスト処理サーバ群１３０に対して、選択された銘柄と足の種別を指定してチャートデータを要求するリクエストメッセージを送信する。
クライアント端末１４０は、手順１００３で、リクエストメッセージに対する応答として受信したチャートデータを解析する。
クライアント端末１４０は、手順１００４で、ユーザインターフェースの設定に合わせて解析したチャートデータをディスプレイに出力するチャートデータ出力処理１００４を実行する。
【００７５】
チャートデータ出力処理１００４は、出力対象となるチャートの種類ごとに処理が行われる。
本実施形態では、第１移動平均値と第２移動平均値のいずれか一方が上端で他方が下端となる矩形帯を含む足、若しくは、当該矩形帯と、第１移動平均値と終値とを結ぶ矢印線を含む足を並べた株価・指数チャートの出力処理を、チャートデータ出力処理１００４として説明する。
ただし、株価・指数チャートの出力処理の他に、他の種類のチャートの出力処理が、チャートデータ出力処理１００４に含まれる形態であってもよい。
例えば、始値と終値のいずれか一方が上端で他方が下端となる矩形帯と、最安値と最高値とを結ぶ線とを含むローソク足を並べた別の株価・指数チャートを、チャートデータ出力処理１００４の一つとして実行する形態が考えられる。
【００７６】
チャートデータ出力処理は、図４に示すように、手順１００３で、受信・解析した受信データの最古の足から最新の足まで順次ループ処理（手順１００５〜１００９、手順１０１９〜１０２３）を実行する。
【００７７】
クライアント端末１４０は、手順１００６で、対象となる足（判定対象足）に対応する第１移動平均値、第２移動平均値、所定の時間帯の相場（終値）、矩形帯が陽線か陰線かの情報、及び矢印線が陽線か陰線かの情報から、当該足を出力するための仮の座標と高さを計算し、当該判定対象足（矩形帯、及び矢印線）を描画する色を決定する。
具体的には、当該判定対象足を構成する矩形帯が陽線である場合には、当該矩形帯の色は第１色に設定され、当該判定対象足を構成する矩形帯が陰線である場合には、当該矩形帯の色は第２色に設定される。
また、当該判定対象足を構成する矢印線が陽線である場合には、当該矢印線の色は第１色に設定され、当該判定対象足を構成する矢印線が陰線である場合には、当該矢印線の色は第２色に設定される。
【００７８】
クライアント端末１４０は、手順１００７で、ディスプレイの設定及びチャート出力ソフトウエア１４１の設定に応じて手順１００６で計算した座標と高さを調整する。
【００７９】
クライアント端末１４０は、手順１０１９で、「矩形帯調整モード」がオン状態にされているか否かを判断する。
「矩形帯調整モード」がオン状態にされている場合は、手順１０２０に進められ、オン状態にされていない場合は、手順１００８に進められる。
【００８０】
クライアント端末１４０は、手順１０２０で、当該判定対象足が判定基準足に対して「はらみ状態」であるか否かを判断する（「はらみ状態」判定ステップ）。
【００８１】
手順１０２０で当該判定対象足が「はらみ状態」であると判断した場合は、手順１０２２に進められる。
クライアント端末１４０は、手順１０２２で、当該判定対象足の矩形帯の色が、直前の足の矩形帯の色と一致するか否かを判断する。
一致する場合には、手順１００８に進められ、一致しない場合には、手順１０２３に進められる。
【００８２】
クライアント端末１４０は、手順１０２３で、当該判定対象足を構成する矩形帯の色を、直前の足（若しくは、判定基準足）を構成する矩形帯の色と同じにする（第１矩形帯調整）。その後、手順１００８に進められる。
【００８３】
具体的には、手順１００６で設定された当該判定対象足を構成する矩形帯の色が第１色で、直前の足を構成する矩形帯の色が第２色である場合には、当該判定対象足を構成する矩形帯の色を第２色に変える。
手順１００６で設定された当該判定対象足を構成する矩形帯の色が第２色で、直前の足を構成する矩形帯の色が第１色である場合には、当該判定対象足を構成する矩形帯の色を第１色に変える。
【００８４】
手順１０２０で当該判定対象足が「はらみ状態」でないと判断した場合は、当該判定対象足を構成する矩形帯の色は手順１００６で設定されたまま維持され、手順１００８に進められる。
クライアント端末１４０は、手順１００８で、手順１００６、手順１００７または手順１０２２で処理を行った座標・サイズ・色でディスプレイに当該判定対象足を描画する（出力ステップ）。その後、次の足を判定対象足に変えて処理が進められる。
【００８５】
全ての足について、手順１００５〜手順１００９、手順１０１９〜手順１０２３で示されたループ処理が行われると、判定対象足が、判定基準足に対する「はらみ状態」であり、当該判定対象足の矩形帯の色が、当該判定基準足の矩形帯の色と異なる場合に、当該判定対象足の矩形帯の色を調整する、すなわち、当該判定対象足の矩形帯の色を当該判定基準足の矩形帯の色に合わせる第１矩形帯調整が行われることになる。
【００８６】
全ての足について、手順１００５〜手順１００９、手順１０１９〜手順１０２３で示されたループ処理が行われた後、クライアント端末１４０は、手順１０１０で、「第１モード」がオン状態であるか否かを判断する。
【００８７】
「第１モード」がオン状態である場合は、クライアント端末１４０は、手順１０１１で、矢印線の出力処理を実行し、処理を終了する。
矢印線の出力処理では、図２や図６で示されるように、矩形帯に矢印線が加えられた状態で足が出力される。
【００８８】
「第１モード」がオフ状態である場合は、矢印線の出力処理は行われず、処理を終了する。
矢印線の出力処理が行われない場合は、図５や図７で示されるように、矩形帯に矢印線が加えられない状態で足が出力される。
【００８９】
図２は、第１矩形帯調整を行わずに、矢印線を含んだ足を並べた株価・指数チャートの例を示し、図５は、第１矩形帯調整を行わずに、且つ矢印線を含めずに足を並べた株価・指数チャートの例を示す。
【００９０】
足２００４〜足２００９の矩形帯は陰線であり、第１矩形帯調整を行わない場合には、図２や図５に示すように、足２００４〜足２００９の矩形帯は、陰足に対応する第２色で出力される。
しかしながら、足２００２〜足２０１３は足２００１に対する「はらみ状態」である。「はらみ状態」が解消された後に、上昇トレンドに転ずるか、下降トレンドが続くかは判断が難しく、足２００４〜足２００９の矩形帯の色が第２色であるということだけで、下降トレンドである可能性が高いとは言い切れない。
【００９１】
本実施形態では、第１矩形帯調整を行う場合には、図６や図７に示すように、陰線である足２００４〜足２００９の矩形帯に対応する足２１０４〜足２１０９の矩形帯が全て陽線と同じ色で出力される。
すなわち、第１矩形帯調整を行う場合には、「はらみ状態」の矩形帯については、当該矩形帯が陽線であるか陰線であるかに関わらず、「はらみ状態」の基となる矩形帯と同じ色で出力される。
これにより、「はらみ状態」の基となる足２１０１以降であって、足２１０１に対する「はらみ状態」の足２１０２〜２１１３については、当該足の矩形帯が連続して足２１０１の矩形帯と同じ色で出力されることになる。
【００９２】
株価・指数チャートにおける矩形帯の色が第１色から第２色に変化すると、上昇トレンドが下降トレンドに反転する可能性があるが、当該第２色の矩形帯を含む足が過去一定期間内の足に対する「はらみ状態」である場合は、下降が一時的なもので、すぐに上昇トレンドに戻る（第１色の矩形帯を含む足が続く状態になる）可能性もある。
株価・指数チャートにおける矩形帯の色が第２色から第１色に変化すると、下降トレンドが上昇トレンドに反転する可能性があるが、当該第１色の矩形帯を含む足が過去一定期間内の足に対する「はらみ状態」である場合は、上昇が一時的なもので、すぐに下降トレンドに戻る（第２色の矩形帯を含む足が続く状態になる）可能性もある。
【００９３】
本実施形態では、「はらみ状態」の足については、矩形帯の色を「はらみ状態」の基となる足の矩形帯の色に合わせ、当該「はらみ状態」の基となる足に対する「はらみ状態」の足について、矩形帯の色を同じ状態に維持する。
これにより、上昇トレンドか下降トレンドかの確実性が高い状態になるまで、矩形帯の色を同じ状態にして、上昇トレンドと下降トレンドの見極めがしやすい株価・指数チャートを出力することが可能になる。
【００９４】
なお、本実施形態では、「はらみ状態」の足であって、「はらみ状態」の基となる足の矩形帯と異なる色の矩形帯を有するものについて、当該矩形帯の色を、「はらみ状態」の基となる足の矩形帯の色に合わせる第１矩形帯調整を説明した（図４の手順１０２３参照）。
しかしながら、色を調整した矩形帯と、色を調整していない矩形帯との違いが視認出来る状態で、矩形帯調整を行う形態であってもよい。
具体的には、「はらみ状態」の足であって、「はらみ状態」の基となる足の矩形帯と異なる色の矩形帯を有するものについて、「はらみ状態」の基となる足の矩形帯と全く同じ色に合わせる形態、すなわち色相と明度と彩度を同じものにする形態（第１矩形帯調整）に代えて、「はらみ状態」の基となる足の矩形帯の色に近い色に合わせる形態、すなわち色相が同じで明度と彩度の少なくとも一方が異なるものにする形態（第２矩形帯調整）や、矩形帯を強調出力する形態（第３矩形帯調整）が考えられる。
【００９５】
第２矩形帯調整について説明する。
第２矩形帯調整は、判定対象足の矩形帯の色を、判定基準足の矩形帯の色相と同じで、且つ明度と彩度の少なくとも一方が異なるものにする。
具体的には、クライアント端末１４０は、手順１０２３で、「はらみ状態」の基となる判定基準足の矩形帯の色が第１色（ピンク色）であれば、当該判定対象足の矩形帯の色を第２色（水色）から第３色（薄いピンク色）に変え、当該判定基準足の矩形帯の色が第２色（水色）であれば、当該判定対象足の矩形帯の色を第１色（ピンク色）から第４色（薄い水色）に変える。
図８は、陽線の矩形帯を含む足２２０１に対する「はらみ状態」の足２２０４〜足２２０９の矩形帯（陰線）の色を、第２色から第１色に近い色（第３色）に変えた状態で出力される例を示す。
【００９６】
なお、第２矩形帯調整としては、判定対象足の矩形帯の色相を、「はらみ状態」でない足であって、且つ判定対象足の矩形帯と同じ色相の矩形帯と比べて、判定基準足の矩形帯の色相に近いものにする（色相が±１０度以内など）形態も考えられる。
【００９７】
第３矩形帯調整について説明する。
第３矩形帯調整は、判定対象足の矩形帯の色を、判定基準足の矩形帯の色と同じにし、且つ当該判定対象足の矩形帯に「はらみ状態」でない足の矩形帯と異なる枠を設ける。
具体的には、クライアント端末１４０は、手順１０２３で、「はらみ状態」の基となる判定基準足の矩形帯の色が第１色（ピンク色）であれば、当該判定対象足の矩形帯を第２色（水色）から第１色に変え、当該判定対象足の矩形帯の枠を「はらみ状態」でない足の矩形帯と異なるものにし、当該判定基準足の矩形帯の色が第２色（水色）であれば、当該判定対象足の矩形帯を第１色（ピンク色）から第２色に変え、当該判定対象足の矩形帯の枠を「はらみ状態」でない足の矩形帯と異なるものにする。
図９は、陽線の矩形帯を含む足２３０１に対する「はらみ状態」の足２３０４〜２３０９の矩形帯（陰線）の色を、第２色から第１色に変え、且つ矩形帯の枠を、「はらみ状態」でない足の矩形帯の枠（一重線）とは異なる二重線の枠に変えた状態で出力される例を示す。
【００９８】
また、矩形帯を白黒で出力するなど、陰線とされるものと陽線とされるものが同じ色相で且つ明度が異なるもので表される場合には、矩形帯調整として、判定対象足の矩形帯の明度を、「はらみ状態」でない足であって、且つ判定対象足の矩形帯と同じ明度の矩形帯と比べて、判定基準足の矩形帯の明度に近いものにする形態も考えられる。
【００９９】
第２矩形帯調整や第３矩形帯調整などにより、「はらみ状態」の足の矩形帯を、「はらみ状態」でない足の矩形帯と異なる色で出力し、使用者に「はらみ状態」の足を視認させやすく出来る。これにより、上昇トレンドか下降トレンドかが不明瞭な状態を視認でき、上昇トレンドと下降トレンドの見極めがしやすい株価・指数チャートを出力することが可能になる。
【０１００】
また、本実施形態では、判定対象足が、当該判定対象足よりも過去の特定の本数以内の足のいずれかである判定基準足に対する「はらみ状態」を例として、当該判定対象足の矩形帯調整を行う形態を説明したが、「はらみ状態」に限るものではなく、判定対象足が判定基準足に対する所定の関係の場合に、当該判定対象足の矩形帯調整を行う形態であってもよい。
【０１０１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０２】
１  株価・指数チャート表示システム
１００  相場情報提供元サーバ
１０１  相場情報
１１０  相場情報受信サーバ
１１１  第１データ受信部
１１２  相場情報データベース
１２０  チャートデータ演算処理サーバ
１２１  データ演算処理部
１２２  チャートデータベース
１３０  クライアント端末リクエスト処理サーバ群
１３１  データアクセス処理サーバ
１４０  クライアント端末
１５０  チャート以外のデータ演算処理サーバ
１５１  データ演算処理モジュール群
１５２  チャート以外の銘柄データベース
１６０  ファンダメンタルデータ受信サーバ
１６１  第２データ受信部
１６２  ファンダメンタルデータベース
１７０  ファンダメンタルデータ提供元サーバ
１７１  企業情報
１０００  増田足相性診断モジュール
１００１  評価期間チェック処理
１００２  銘柄データ処理
１００３  銘柄グループ内データ処理
１００４  採点処理
【図１】
2020027499.tif 000003
【図２】
2020027499.tif 000004
【図３】
2020027499.tif 000005
【図４】
2020027499.tif 000006
【図５】
2020027499.tif 000007
【図６】
2020027499.tif 000008
【図７】
2020027499.tif 000009
【図８】
2020027499.tif 000010
【図９】
2020027499.tif 000011